(57)【要約】  【課題】  各画素の読み出し順序が任意に可変可能である固体撮像素子を画素配置とは異なった順序で駆動することで出力される映像信号を暗号化する暗号化撮像システムにおいて、撮像素子から出力される信号はすべて暗号化されているため、撮影を行った端末でも意味のある映像を出力するためには復号化回路が必要となる。本発明は、撮像素子から暗号化された映像信号と、暗号化されていない映像信号を出力することでこの課題を解決することを目的とする。  【解決手段】  図２に撮像素子の駆動を説明するための具体例を示す。画素に割り振ってある数字は駆動順序を示す。この図に示すように撮像素子の画素配列とは異なる順序で駆動を行う画素と、画素配列の順序と同じ順序で駆動を行う画素とを設けることで暗号化する映像信号と、暗号化しない映像信号を出力することができる。【選択図】  図２
2005045705.tif 000002
【特許請求の範囲】
【請求項１】
各画素の読み出し順序が任意に可変可能である固体撮像素子と、前記固体撮像素子の駆動順序を規定する駆動アドレス発生手段と、
前記駆動アドレス発生手段が出力する駆動アドレスの順序に従って前記固体撮像素子を駆動する駆動手段と、
前記固体撮像素子から出力される画像データを、前記固体撮像素子の画素配置と異なる順序で暗号化されて読み出された画像データと、
画素配置と等しい順序で読み出された画像データに振り分けるデータ振り分け手段と、
振り分けられた暗号化されて読み出された画像データを前記固体撮像素子の各画素の空間的配置に対応するように本来の画素順序に戻すデータ並び替え手段と、
前記並び替えのためのアドレスを発生する並び替え用アドレス発生手段と、
前記データ振り分け手段から出力される画素配置と等しい順序で読み出された画像データに映像信号処理を施す第１の映像信号処理手段と、
前記データ並び替え手段から出力される本来の画素順序に並び替えられた映像データに映像信号処理を施す第２の映像信号処理手段とを具備することを特徴とする暗号化撮像システム。
【請求項２】
前記固体撮像素子を駆動する際に、前記駆動アドレス発生手段は暗号化方式における鍵情報が入力されることにより前記駆動アドレスの一部を暗号化し、前記固体撮像素子の画素配置とは異なる順序に読み出されることで暗号化された映像データと前記固体撮像素子の画素配置と等しい順序で読み出された暗号化されていない映像データが前記固体撮像素子より同時に出力され、前記並び替え用アドレス発生手段は暗号化方式における鍵情報が入力されることにより前記固体撮像素子の画素配置と異なる順序で駆動することで暗号化された映像データを前記固体撮像素子本来の画素順位に並び替えるように並び替え用アドレスを発生し、前記データ並び替え手段は固体撮像素子の画素配置と異なる順序で駆動することで暗号化された映像データを前記固体撮像素子本来の画素順位に戻すことを特徴とする請求項１に記載の暗号化撮像システム。
【発明の詳細な説明】
【技術分野】
【０００１】
本発明は、固体撮像素子の各画素の読み出し順序を、その固体撮像素子の駆動手段の動作を変更することにより可変可能とし得る固体撮像素子を使用した撮像システムに関するものである。
【背景技術】
【０００２】
従来の技術として、各画素の読み出し順位が任意に可変可能である固体撮像素子を用いた撮像システムにおいて、撮像時に暗号化方式における鍵情報が入力されることにより、前記固体撮像素子の各画素の駆動順序を画素配列と異なるように入れ替えることにより暗号化された映像データを出力し、前記映像データを表示する際に、暗号化方式における前記鍵情報が入力されることにより暗号化された前記映像データの各画素の順序を復号化して本来の順序に戻すことを特徴とする暗号化撮像システムがある。
【０００３】
以下に従来の暗号化撮像システムについて説明する。このような暗号化撮像システムとしては特開平１０−１４５６８５号公報に記載されたものが知られている。図３は従来の暗号化撮像システムの構成を示すブロック図である。図３において、１は撮像レンズである。２は各画素の読み出し順序が任意に可変可能な固体撮像素子であり、集光された光を電気信号に変換する。３は暗号化駆動アドレス発生回路であり、入力された暗号化方式における鍵情報を元に固体撮像素子２を駆動するためのアドレス信号を発生する。４は駆動回路であり、暗号化駆動アドレス発生回路３より生成されたアドレス信号を元に、固体撮像素子２を駆動する。５は固体撮像素子から出力された映像データを増幅するプリアンプである。６はアナログ信号をデジタル信号に変換するＡ／Ｄ変換機である。７はデータ並び替え回路であり、撮像した装置から送信された映像データを復号化するために並び替える回路である。８は復号化アドレス発生回路であり、暗号化方式における鍵情報を元に復号化するためのデータを並び替える信号を生成する回路である。
【０００４】
以上のように構成された従来の暗号化撮像システムについて、以下その動作について説明する。
【０００５】
まず、撮像レンズ１によって入射した光は固体撮像素子２の表面に集光される。固体撮像素子２の駆動は駆動回路４によって行われる。駆動回路４は、暗号化駆動アドレス発生回路３より出力されるアドレス信号によって、固体撮像素子２の駆動を行う。暗号化駆動アドレス発生回路３により出力されるアドレス信号によって設定される駆動順序は固体撮像素子２上の本来の画素配置とは異なるため、固体撮像素子２から出力される映像データを直接映像信号処理回路に入力しても意味のある映像を出力することはできない。図４に駆動順序の変換の例を示す。固体撮像素子２上の座標に対して通し番号を割り当てる。固体撮像素子２上の座標に対して割り当てた通し番号を暗号化方式における鍵情報にしたがって本来の画素配置とは異なる順序に並び替える。並び替えた通し番号を基に固体撮像素子駆動アドレス信号を生成する。駆動回路は駆動アドレス信号を基に固体撮像素子を駆動し、撮像素子から出力された映像データは撮像を行った端末外部に対して伝送される。映像データを受信した装置における復号化アドレス発生回路は鍵情報を基に、暗号化された映像データを並び替える復号化アドレス信号を生成する。図４に示すように並び替えた順序と逆に映像データを並び替えることによって、暗号化された映像データは固体撮像素子の本来の画素配列に等しくなるよう復号化される。
【特許文献１】特開平１０−１４５６８５号公報
【発明の開示】
【発明が解決しようとする課題】
【０００６】
しかしながら上記の従来の構成では、固体撮像素子から出力される映像データはすべて暗号化されているため、撮像画像をビューファインダーなどで確認する場合、固体撮像素子を搭載する撮像端末で、映像を出力するために復号化を行う必要があり、撮像端末内にも復号化回路が必要となる。
【０００７】
本発明は、撮像端末において映像出力を行うために復号化回路が必要になるという従来の問題を解決し、撮像端末において映像を出力する場合に復号化回路を必要としない暗号化撮像システムを提供することを目的とする。
【課題を解決するための手段】
【０００８】
この目的を達成するために本発明の暗号化撮像システムは、各画素の読み出し順序が任意に可変可能である固体撮像素子と、前記固体撮像素子の駆動順序を規定する駆動アドレス発生手段と、前記駆動アドレス発生手段が出力する駆動アドレスの順序に従って前記固体撮像素子を駆動する駆動手段と、前記固体撮像素子から出力される画像データを、前記固体撮像素子の画素配置と異なる順序で暗号化されて読み出された画像データと、画素配置と等しい順序で読み出された画像データを振り分けるデータ振り分け手段と、振り分けられた暗号化されて読み出された画像データを前記固体撮像素子の各画素の空間的配置に対応するように本来の画素順序に戻すデータ並び替え手段と、前記並び替えのためのアドレスを発生する並び替え用アドレス発生手段と、前記データ振り分け手段から出力される画素配置と等しい順序で読み出された画像データに映像信号処理を施す第１の映像信号処理手段と、前記データ並び替え手段から出力される本来の画素順序に並び替えられた映像データに映像信号処理を施す第２の映像信号処理手段とを具備する構成を有している。
【０００９】
この構成によって、暗号化された映像データと暗号化されていない映像データを固体撮像素子から出力することで、暗号化されてない映像データを用いて復号化を行わずに映像を出力することができるため、撮像端末において映像を出力する場合、復号化回路を必要としない暗号化撮像システムが得られる。
【発明の効果】
【００１０】
以上のように本発明の撮像システムでは固体撮像素子を画素配列と異なる順序で駆動することで出力映像データを暗号化する領域と、画素配列と同じ順序で駆動することで暗号化しない領域を設けることで、暗号化された映像データだけでなく、暗号化されていない映像データを同時に出力することができるため、撮像端末において映像を出力する場合に復号化回路を必要としないという特徴をもつ。
【発明を実施するための最良の形態】
【００１１】
本発明は、各画素の読み出し順序が任意に可変可能である固体撮像素子と、前記固体撮像素子の駆動順序を規定する駆動アドレス発生手段と、前記駆動アドレス発生手段が出力する駆動アドレスの順序に従って前記固体撮像素子を駆動する駆動手段と、前記固体撮像素子から出力される画像データを、前記固体撮像素子の画素配置と異なる順序で暗号化されて読み出された画像データと、画素配置と等しい順序で読み出された画像データを振り分けるデータ振り分け手段と、振り分けられた暗号化されて読み出された画像データを前記固体撮像素子の各画素の空間的配置に対応するように本来の画素順序に戻すデータ並び替え手段と、前記並び替えのためのアドレスを発生する並び替え用アドレス発生手段と、前記データ振り分け手段から出力される画素配置と等しい順序で読み出された画像データに映像信号処理を施す第１の映像信号処理手段と、前記データ並び替え手段から出力される本来の画素順序に並び替えられた映像データに映像信号処理を施す第２の映像信号処理手段とを具備し、前記固体撮像素子を駆動する際に、前記駆動アドレス発生手段は暗号化方式における鍵情報が入力されることにより前記駆動アドレスの一部を暗号化し、前記駆動手段は前記駆動アドレスの順序に従って前記固体撮像素子を駆動し、暗号化された映像データと暗号化されていない映像データが前記固体撮像素子より同時に出力され、前記データ振り分け手段は前記固体撮像素子から出力される映像データを振り分け、前記並び替え用アドレス発生手段は暗号化方式における鍵情報が入力されることにより暗号化された映像データを撮像素子の画素配列に並び替えるための並び替え用アドレスを発生し、前記データ並び替え手段は前記並び替え用アドレスによって暗号化された映像データを前記固体撮像素子本来の画素順位に戻し、前記第２の映像信号処理手段は復号化した映像データを出力するための映像信号処理を行うことを特徴とする。
【００１２】
以下、本発明の実施の形態について、図１、図２を用いて説明する。
【００１３】
図１は本発明の撮像システムの第１の実施の形態の構成を示すブロック図である。
【００１４】
図１において、１０は撮像レンズであり、入射した光を固体撮像素子表面に集光する。１１は各画素の読み出し順序が任意に可変可能な固体撮像素子である。１２は固体撮像素子１１から出力された映像データを増幅するプリアンプである。１３はアナログ信号をデジタル信号に変換するためのＡ／Ｄ変換機である。１４はデータ振り分け回路であり、固体撮像素子１１から出力された映像データを、固体撮像素子の画素配置と異なる順序で暗号化されて読み出された画像データと、画素配置と等しい順序で読み出された画像データに振り分ける。１５は固体撮像素子１１を駆動する駆動回路である。１６は暗号化駆動アドレス発生回路であり、固体撮像素子１１を駆動する信号を駆動回路１５に送る。暗号化駆動アドレス発生回路１６はデータ振り分け回路１４に対して振り分けるための信号も送信する。１７は第１の映像信号処理回路であり、暗号化されていない映像データを出力するための映像信号処理を行う。１８はビューファインダー等の映像出力部である。１９はデータ並び替え回路であり、暗号化された映像データを並び替えることで意味のある映像データに戻す。２０は復号化アドレス発生回路であり、データ並び替え回路１９が並び替える順序を生成する。２１は第２の映像信号処理回路であり、データ並び替え回路によって意味のある映像データに並び替えられた映像データに対して出力のために映像信号処理処理を行う。２２はモニタ等の映像出力部であり、復号化された映像データを出力する。
【００１５】
以上のように構成された暗号化撮像システムについて、図２を用いて図１に示された暗号化撮像システムの動作の一例を説明する。図２は図１の固体撮像素子の駆動を説明するための具体的な例図である。図２では奇数ラインの画素については固体撮像素子の画素配列とは異なる順序で画素の駆動を行い、偶数ラインの画素については固体撮像素子の画素配列と同様の順序で駆動を行うようにしている。図２の画素内の数字は、画素を駆動する順番を示す。固体撮像素子から図２に示した駆動順序に従って出力される映像データはデータ振り分け回路によって奇数ラインの映像データと、偶数ラインの映像データに振り分けられる。偶数ラインの映像データは固体撮像素子の画素配列と同じ順序で駆動されており、暗号化されていないため、このまま第１の映像信号処理回路を経て映像として出力される。奇数ラインの暗号化された映像データは他の端末に対して伝送される。暗号化された映像データを受信した端末において、復号化アドレス発生回路は暗号化方式における鍵情報を元に復号化アドレス信号を生成し、これを元にデータ並び替え回路は暗号化された映像データを本来の画素配列に並び替えた後、映像データは第２の映像信号処理回路を経て、映像として出力される。
【００１６】
なお、図２では暗号化駆動を行う画素と暗号化駆動を行わない画素をライン単位で分けていたが、これは任意の配置でもよい。また暗号化する固体撮像素子上の領域と暗号化しない領域の比率を１対１で示したが、比率は任意でも構わない。
【産業上の利用可能性】
【００１７】
本発明の暗号化撮像システムは固体撮像素子を画素配列と異なる順序で駆動することで出力映像データを暗号化する領域と、画素配列と同じ順序で駆動することで暗号化しない領域を設けることで、暗号化された映像データだけでなく、暗号化されていない映像データを同時に出力することができるため、撮像端末において映像を出力する場合に復号化回路を必要としないという特徴を有し、固体撮像素子の各画素の読み出し順序を、その固体撮像素子の駆動手段の動作を変更することにより可変可能とし得る固体撮像素子を使用した撮像システム等として有用である。
【図面の簡単な説明】
【００１８】
【図１】本発明の暗号化撮像システムの第１の実施の形態の構成を示すブロック図
【図２】図１における固体撮像素子の駆動を説明するための実施例図
【図３】従来の暗号化撮像システムの実施の形態の構成を示すブロック図
【図４】図３の駆動アドレス発生回路３の動作を説明するための実施例図
【符号の説明】
【００１９】
１、１０  撮像レンズ
２、１１  各画素の読み出し順序が任意に可変可能な固体撮像素子
３、１６  暗号化アドレス発生回路
４、１５  駆動回路
５、１２  プリアンプ
６、１３  Ａ／Ｄ変換機
７、１９  データ並び替え回路
８、２１  復号化アドレス発生回路
９、１７、２１  映像信号処理回路
１４  データ振り分け回路
１８、２２  映像出力部
【図１】
2005045705.tif 000003
【図２】
2005045705.tif 000004
【図３】
2005045705.tif 000005
【図４】
2005045705.tif 000006